(57)【特許請求の範囲】
【請求項１】
送信されるイベントと、ユーザの応答と、の間の時間の量を決定する方法であって、
関連する発表時間で送信装置から前記送信されるイベントを前記エンドユーザ装置に提供するステップと、
安定クロック源を用いて前記ユーザが前記送信されたイベントに応答するときの局部的な応答時間を前記エンドユーザ装置にて決定するステップと、
前記発表時間と前記局部的な応答時間との間の差分時間を前記エンドユーザ装置にて計算するステップと、
前記差分時間が所定時間以内か否かを前記エンドユーザ装置により決定するステップと、
前記差分時間が前記所定時間以内と判定された場合には、前記差分時間と、イベントの識別子と、前記イベントへの応答とを含むメッセージを暗号化して、前記エンドユーザ装置から前記送信装置に送信し、前記差分時間が前記所定時間を超えると判定された場合には、セキュリティ違反を前記送信装置に通知するステップと、
を備え、
前記安定クロック源は、エンドユーザ装置内の携帯装置内に設けられる方法。
【請求項２】
前記送信されたイベントのプロバイダに対するメッセージを送信する前記ステップは、時間遅延される請求項１に記載の方法。
【請求項３】
前記発表時間は、前記送信されるイベントに関連する制御データから得られる請求項１に記載の方法。
【請求項４】
前記発表時間は、前記ユーザに対する前記イベントの発表に基づいて活性化される局部的タイムスタンプから得られる請求項１に記載の方法。
【請求項５】
送信されるイベントと、ユーザの応答と、の間の時間の量を決定する方法であって、
関連する発表時間で送信装置から前記送信されるイベントを前記エンドユーザ装置に提供するステップと、
エンドユーザ装置内の携帯装置内に設けられる安定クロック源を用いて前記ユーザが前記送信されたイベントに応答するときの局部的な応答時間を前記エンドユーザ装置にて決定するステップと、
前記発表時間と前記局部的な応答時間との間の差分時間を前記エンドユーザ装置にて計算するステップと、
前記応答が前記送信されるイベントに対する実時間応答であることを保証するために前記局部的な応答時間と全体的な発表時間とを前記エンドユーザ装置にて比較するステップと、
前記差分時間が前記所定時間以内と判定された場合には、前記差分時間と、イベントの識別子と、前記イベントへの応答とを含むメッセージを暗号化して、前記エンドユーザ装置から前記送信装置に送信し、前記差分時間が前記所定時間を超えると判定された場合には、セキュリティ違反を前記送信装置に通知するステップと、
を備える方法。
【請求項６】
前記送信されたイベントのプロバイダに対するメッセージを送信する前記ステップは、時間遅延される請求項５に記載の方法。
【請求項７】
前記関連する発表時間は、前記送信されるイベントに関連する制御データから得られる請求項５に記載の方法。
【請求項８】
前記発表時間は、前記ユーザに対する前記イベントの発表に基づいて活性化される局部的タイムスタンプから得られる請求項５に記載の方法。
【請求項９】
前記比較するステップは、前記ユーザが前記イベントの再生には応答しないことを保証する請求項５に記載の方法。
【請求項１０】
送信されるイベントとユーザの応答との間の時間量を決定するシステムであって、
エンドユーザ装置内の携帯装置内に設けられる安定クロック源と；
送信装置および前記エンドユーザ装置のそれぞれに設けられる、コンピュータの読出し可能符号を記憶するメモリと；
送信装置および前記エンドユーザ装置のそれぞれに設けられる、前記メモリに動作可能に接続されたプロセッサと；を備え、
前記送信装置内の前記プロセッサは、関連する発表時間での前記送信されるイベントを前記ユーザに提供し、
前記エンドユーザ装置内の前記プロセッサは、
前記安定クロック源を用いて前記ユーザが前記送信されたイベントに応答するときの局部的な応答時間を決定し、
前記発表時間と前記局部的な応答時間との間の差分時間を計算し、
前記差分時間が所定時間以内か否かを前記エンドユーザ装置により決定し、
前記差分時間が前記所定時間以内と判定された場合には、前記差分時間と、イベントの識別子と、前記イベントへの応答とを含むメッセージを暗号化して、前記エンドユーザ装置から前記送信装置に送信し、前記差分時間が前記所定時間を超えると判定された場合には、セキュリティ違反を前記送信装置に通知するように構成されているシステム。
【請求項１１】
送信されるイベントとユーザの応答との間の時間量を決定するシステムであって、
エンドユーザ装置内の携帯装置内に設けられる安定クロック源と；
送信装置および前記エンドユーザ装置のそれぞれに設けられる、コンピュータの読出し可能符号を記憶するメモリと；
送信装置および前記エンドユーザ装置のそれぞれに設けられる、前記メモリに動作可能に接続されたプロセッサと；を備え、
前記送信装置内の前記プロセッサは、  関連する発表時間での前記送信されるイベントを前記ユーザに提供し、
前記エンドユーザ装置内の前記プロセッサは、
前記安定クロック源を用いて前記ユーザが前記送信されたイベントに応答するときの局部的な応答時間を決定し、
前記発表時間と前記局部的な応答時間との間の差分時間を計算し、
前記応答が前記送信されるイベントに対する実時間応答であることを保証するために前記局部的な応答時間と全体的な発表時間とを比較し、
前記差分時間が前記所定時間以内と判定された場合には、前記差分時間と、イベントの識別子と、前記イベントへの応答とを含むメッセージを暗号化して、前記エンドユーザ装置から前記送信装置に送信し、前記差分時間が前記所定時間を超えると判定された場合には、セキュリティ違反を前記送信装置に通知するように構成されているシステム。
【請求項１２】
送信されるイベントと、ユーザの応答と、の間の時間の量を決定する方法であって、
関連する発表時間での前記送信されるイベントを送信装置からエンドユーザ装置に提供するステップと、
前記エンドユーザ装置内の携帯装置内に設けられる安定クロック源を用いて前記ユーザが前記送信されたイベントに応答するときの局部的な応答時間を前記エンドユーザ装置にて決定するステップと、
前記発表時間と前記局部的な応答時間との間の差分時間を前記エンドユーザ装置にて計算するステップと、
前記差分時間が所定時間以内か否かを前記エンドユーザ装置により決定するステップと、
前記差分時間が前記所定時間以内と判定された場合には、前記差分時間と、イベントの識別子と、前記イベントへの応答とを含むメッセージを暗号化して、前記エンドユーザ装置から前記送信装置に送信し、前記差分時間が前記所定時間を超えると判定された場合には、セキュリティ違反を前記送信装置に通知するステップと、
を備え、
前記イベントは、前記イベントを制御する制御データを含み、
前記制御データは、前記イベントを送信する送信装置による送信時刻情報と、前記イベントを受信した前記ユーザの表示装置に表示される前記イベントの受信時刻情報と、前記イベントを識別する識別情報とを含む方法。
【発明の詳細な説明】
【０００１】
【発明の属する技術分野】
この発明は、デジタル的な時間打刻の技術に係り、さらに詳しくは、テレビジョンのイベントのような、時間感度良好な双方向通信を認証する方法および装置に関する。
【０００２】
【発明の背景技術】
電子メールや電子金融取引のような潜在的に感度が良くまたは独占的な電子通信を送信するための、例えばインターネットのような公共または準公共のネットワークの使用が、急速に増加している。したがって、このような電子通信の秘密または信頼性（内容の真正）を確実にする改善されたコンピュータ安全技術に対する必要性が増加してきている。多数の技術は、このような電子メッセージまたはその中に含まれている情報が改ざん（改竄）されてしまわないことを保証するために、これらの電子メッセージや情報対して権威を与えたり認証したりすることが求められたりまたは示唆されている。
【０００３】
多数の電子通信のために、あるメッセージに関連付けられる時間および／または年月日を証明することが重要である。したがって、報告された時間および年月日の情報を正当であるものと確認するために電子メッセージを伴う確実でデジタル的なタイムスタンプ（time-stamp―時間打刻―）を結びつけるための技術が発展してきている。一般的には、このようなデジタルタイムスタンプは、電子メッセージ、電子書類または電子商取引の年月日を改ざんすることからユーザを防ぐことを試みている。１つのアプローチによれば、電子文書が、しばしば“デジタル公証人”として引用される公平な第三者により署名され時間を打刻される。
【０００４】
これに加えて、フィッシャ（Fischer）に付与され、この明細書に参考文献として組み入れられる合衆国特許第５，００１，７５２号公報は、“デジタル公証人”の必要性なしに、電子文書または電子商取引への確実なタイムスタンプを提供するためのシステムを開示している。適切な暗号化または安全保障の技術の一般的な議論のために、この明細書に参考文献として組み入れられる、例えばＢ・シュニア（Schneier）の「応用暗号方法」（第２版、１９９７年）を参照せよ。
【０００５】
このような電子文書や電子商取引にデジタルタイムスタンプを提供する従前のシステムは電子文書や電子商取引の絶対的な時間や年月日を改ざんすることからユーザを防ぐことに成功していたが、それらは個々のイベントに対応するユーザのために用いられる差分（差の）時間の計算までをも許容してはいなかった。さらに、従前の電子文書または電子商取引にデジタルタイムスタンプを提供するシステムは、中央のサーバと分散されたエンドユーザ装置との間に非常に正確な同期を要求している。
【０００６】
したがって、例えばオークションの放送文句やテレビ番組のコンテストのようなイベントと、ユーザが応答する時間との間の時間を計算して正当であると確認する方法およびシステムのためにこの種の要求が存在する。さらに、寛大な同期の要求を提供することをユーザが応答するイベントと時間との間で、その時間を計算して、その時間が正当であると確認する方法およびシステムのために更なる要求が存在する。
【０００７】
【発明の概要】
一般的には、イベントを放送することとユーザが応答する時間との間の差分時間を計算して、それが正当であると確認するための方法およびシステムが開示されている。このイベントは例えば、オークションの放送文句またはテレビ番組上のコンテストを含んでいる。実例となるテレビコンテストの実施形態としてはこの発明はユーザに対するコンテストの最初の手続の時間と、ユーザがこのコンテストに対して応答するときの時間とを決定している。
【０００８】
この発明は、信頼できる、確実で、実時間の多数のユーザ用のイベントを許容している。エンドユーザの応答のための差分時間は、対応するエンドユーザの装置により計算される。この応答は、計算された差分応答時間と共に、その後、安定し信頼性のある実時間またはオフライン方式でサービスプロバイダ（提供者）から報告されることが可能である。１つの実施形態において、それぞれのエンドユーザの装置は、イベントの発表とユーザの応答との間の差分時間を計算するための安定したクロック／カレンダの特徴を有する安定した時間保持装置を含んでいる。この発明の特徴である暗号法やタイムスタンプは、例えば、各エンドユーザの装置に直接またはエンドユーザ装置に挿入可能なスマートカードや他の携帯装置により組み入れることができる。
【０００９】
この発明の他のアスペクトは、差分時間の不正な変更を防止する。ユーザは、例えばビデオカセットレコーダ（ＶＣＲ―Video Cassette Recorder―）を用いて個別のイベントを記録することを妨げられ、その後、記録されたイベントを再生し、再生されたイベントに応答し、これにより効果的な応答時間に改ざんすることも妨げられる。したがって、この発明はローカル（局部的）な発表時間の情報と全体的（全国的）な情報とを比較して、各ユーザが最初の実時間イベントに応答し、再生したものに対しては応答しないことを保障する。
【００１０】
この発明のより完全な理解は、この発明の更なる特徴や有利点と同様に、以下の詳細な説明および図面を参照することにより得られるであろう。
【００１１】
【発明の実施の形態】
図１は、例えばテレビ放送局のようなサービスプロバイダ（提供者）からの映像、音声、データ等のマルチメディアの情報を送信するためのネットワーク環境１００を示し、以下に説明される図２に示される送信機２００と関連して議論されると共に、以下にさらに説明される図４に関連して、エンドユーザ装置４００−１ないし４００−ｎ（以下、総称的に、エンドユーザ装置４００として引用する）を実用化するひとりまたはそれ以上のエンドユーザに関連して議論される。このエンドユーザ装置４００は、例えば、フィリップス電子Ｎ．Ａ．により商業的に有用であるフィリップスデジタル高精細テレビジョン、モデル６４ＰＨ９９０５のような、デジタルテレビとして実用化されている。
【００１２】
このネットワーク環境１００は、例えば、セルラ電話ネットワーク、地上波テレビジョン放送ネットワーク、またはデジタル衛星サービス（ＤＳＳ）テレビジョンネットワークなどの無線放送ネットワークや、または、例えばインターネット、公共切替電話ネットワーク（ＰＳＴＮ）またはケーブルテレビジョンネットワーク等の有線テレビジョンネットワークや、または、上述した無線および有線を組み合わせたものとして実施化されていても良い。この発明はテレビジョンのコンテストの状況において以下に示されているが、この発明は、この技術分野に通常の知識を有する者明らかであろうように、ネットワークを介してサービスプロバイダと通信する多くのユーザを含む如何なる時間感度良好なイベントに対しても適用可能である。
【００１３】
この発明の特徴によれば、例えばオークションの放送文句やテレビ番組のコンテストのような個々のイベントにユーザが応答するために用いられる差分時間がエンドユーザ装置４００により安定した信頼性のある様式で計算される。このようにして、この発明は、例えばオークション、コンテンツ、ゲームまたは投票などの公平で、信頼性があり、確実で、実時間のマルチユーザ用のイベントを許容している。具体的には、興味のある相関時間の区間がユーザのためのイベントに応答するのに効果的な時間である。例えば、テレビジョンコンテストのために、興味のある時間区分は、コンテストがユーザに対してまず発表されたときからユーザがコンテストに応答したときまでの間の時間である。
【００１４】
１つの実施形態において、以下に議論されるように、各ユーザ装置４００は、イベントの発表とユーザの応答との間の差分時間を計算するための安定したクロック／カレンダの特徴を含む安定した時間保持装置を含んでいる。この発明は、局部的に信頼性をもってユーザの応答のための差分時間を計算しているので、この応答は如何なる時間、例えばサービスプロバイダ２００によりメッセージを分散するためにも送信機２００へと返還可能であり、または、ときどきはより低いネットワークトラフィックで送られることも可能である。
【００１５】
この発明の他の特徴によれば、例えばビデオカセットレコーダ（ＶＣＲ）を用いて、ユーザは個々のイベントを記録し、その後、記録されたイベントのを再生し、再生されたイベントに応答してこれにより効果的な応答時間を改ざんすることを妨げられている。したがって、この発明は、局部的な発表時間と全体的な発表時間とを比較して、各ユーザが最初の、実時間のイベントには応答するが、再生されたものには応答できないことを保証している。
【００１６】
図２は、この発明による、サービスプロバイダ１１０に結合された例示的な送信機２００を示している。この送信機２００は、テレビジョンネットワーク、ケーブルオペレータ、デジタル衛星サービスオペレータ、または、プログラミングコンテンツを送信する何れかのサービスプロバイダに結合されていても良い。送信機２００は、プロセッサ２１０と、関連するメモリ、例えばデータ格納装置２２０と、を含んでいる。プロセッサ２１０は、単一のプロセッサにより実現されていても良いし、並列に動作する多数のプロセッサであっても良い。
【００１７】
データ格納装置２２０は、および／または、読出し専用メモリ（ＲＯＭ）は、１つまたはそれ以上の命令を格納するように動作可能であり、プロセッサ２１０が読み出し、割り込み、実行等の動作可能になっている。これに加えて、送信機２００は好ましくは、公知のやり方によりキー情報を記録するための、安定したメモリ格納２５０を含んでいる。安定メモリ格納２５０は、何れかの必要な公開キーまたはプライベートキー情報を記録し、不揮発性で改ざん防止であるべきである。
【００１８】
さらに、図２に示されるように、送信機２００は好ましくは、乱数発生器２６０と、クロックモジュール２７０とを含んでいる。乱数発生器２６０は、公知のやり方により、公開キーの演算において利用可能な乱数を生成している。図３に関連して以下に説明するように、クロックモジュール２７０はイベントデータと共に送信されるタイムスタンプ値を生成している。送信機２００の暗号化およびタイムスタンプの特徴のより詳細な議論のため、例えば上述したように参考文献として組み入れられフィッシャに付与された合衆国特許第５，００１，７５２号公報を参照せよ。
【００１９】
通信ポート２３０は、送信機２００をネットワーク１００に接続し、これにより送信機２００を図１に示される装置にそれぞれ接続するようにリンクさせている。
【００２０】
図３は、この発明の説明的なテレビジョンコンテンツ実行のための、例えば動画像専門家グループ標準（ＭＰＥＧ）ストリームのような説明的なデータストリーム（符号列）３００を示している。図３に示されるように、ＭＰＥＧデータストリーム３００は、ビデオおよびオーディオデータ３２０，３３０と共に送信機２００により送信されるイベント制御データ３１０を含むことができる。このイベント制御データ３１０は、コンテンツの選択可能物（オプション）を説明する暗号化されたパケットを含むことができる。例えば、図３に示されたこのイベント制御データ３１０は、暗号化された全体的なタイムスタンプ（年月日／時間）３４１と、全体的なＭＰＥＧストリーム３００のシステムタイムクロック（ＳＴＳ）に関連する発表時間（ＰＴＳ）３４２と、イベント識別子３４３と、選択可能な任意のものとして正解（correct answer）３４４と、を含んでいる。全体的なタイムスタンプ（年月日／時間）３４１は、ＭＰＥＧパケットが送信機２００により送られたときであり、発表時間（ＰＴＳ）３４２は、エンドユーザ装置４００がユーザのディスプレイ上に画像を描写すべき精密な時間である。ＭＰＥＧデータストリーム３００は、公知の条件的なアクセス技術にしたがって、周期的な間隔で新たな公開キーを含んでいても良い。
【００２１】
図４は、この発明に係る、例示的なエンドユーザ装置４００を示している。このエンドユーザ装置４００は、例えばデジタルテレビジョンまたはパーソナルコンピュータとして実現されていても良い。エンドユーザ装置４００は、プロセッサ４１０および関連するメモリ、例えばデータ格納装置４２０を含んでいる。プロセッサ４１０およびデータ格納装置４２０は、図２に関連して上述したプロセッサ２１０およびデータ格納装置２２０と同様の方法により動作している。
【００２２】
さらに、エンドユーザ装置４００は、公知のやり方によりキー情報を記録するための、安定したメモリ格納４５０を含むことができる。安定したメモリ格納４５０は、何れかの必要な公開キーまたはプライベートキー情報を記録し、不揮発性で改ざん防止機能を有しているべきである。さらに、図４に示されるように、送信機４００は好ましくは乱数発生器４６０とクロックモジュール４７０とを含んでいる。乱数発生器４６０は、公知のやり方により、公開キーの計算に用いることができる乱数を生成している。
【００２３】
図５に関連して以下に説明するように、クロックモジュール４７０はこの発明にしたがって、イベントの発表と応答時間との間の差分時間を計算するために用いられるタイムスタンプ値を生成している。エンドユーザ装置４００の暗号化およびタイムスタンプの特徴のより詳細な議論のため、例えば上述したように参考文献として組み入れられフィッシャに付与された合衆国特許第５，００１，７５２号公報を参照せよ。エンドユーザ装置４００の暗号化および端無スタンプ機能は、エンドユーザ装置４００に挿入することができる、例えばスマートカードやその他の携帯装置に組み込むことができることは注目される。
【００２４】
通信ポート４３０は、エンドユーザ装置４００からネットアーク１００に接続され、これによりエンドユーザ装置４００を図１に示される接続装置へとそれぞれリンクしている。
【００２５】
図３に示されるＭＰＥＧデータストリーム３００は、それぞれのエンドユーザ装置４００へと到来する。エンドユーザ装置４００は、イベント制御データ３１０を暗号化して、その情報をイベントテーブル４２５に記録する。したがって、全体的なタイムスタンプ（年月日／時間）３４１，発表時間（ＰＴＳ）３４２，イベント識別子３４３および任意選択的な正解３４４がイベントテーブル４２５の対応するフィールドに記録される。
【００２６】
エンドユーザ装置４００は、図５に関連して議論され、ユーザからの入力の受信に基づいてステップ５１０の間だけ活性化されている、背景イベント応答取り扱いプロセス５００を含んでいる。選択的な実行において、背景イベント応答取り扱いプロセス５００は、それぞれのイベントに対してあつらえられて、例えばＪＡＶＡ（登録商標）アプレットのような制御アプリケーションの形式によりＭＰＥＧデータストリーム３００と共にダウンロードされることも可能である。受信機４００は従来のやり方により、背景イベント応答取り扱いプロセス５００の実行中に、ＭＰＥＧストリームに含まれているオーディオ／ビデオ情報３２０，３３０のプレイを続行する。
【００２７】
図５に示されているように、イベントの検出に基づいて、背景イベント応答取り扱いプロセス５００は、発表時間（ＰＴＳ）３４２とイベント識別子３４３とをＭＰＥＧイベント制御データ３１０から得て、ステップ５１０の間にクロックモジュール４７０からイベント発表の局部的タイムスタンプを得る。その後、背景イベント応答取り扱いプロセス５００は、ユーザの応答がステップ５１５の間に受信されるまでに、ユーザの動作をモニタするであろう。いったんユーザの応答がステップ５１５の間に検出されたなら、背景イベント応答取り扱いプロセス５００は、ステップ５２０の間にクロックモジュール４７０からのユーザ応答の局部的なタイムスタンプを得ることになる。
【００２８】
背景イベント応答取り扱いプロセス５００はその後、イベント発表の局部的タイムスタンプとステップ５２５の間のユーザの応答との差分時間を計算する。
【００２９】
さらに、（再プレイ後のイベントへの応答を防止するために）追加的な安全策として、背景イベント応答取り扱いプロセス５００は、送信機の全体的な時間スタンプ３４１と、ステップ５１０の間に、クロックモジュールから得られたイベント発表の局部的なタイムスタンプとの間のステップ５３０の間の時間遅れを計算する。発表時間（ＰＴＳ）３４２が送信機の全体的なタイムスタンプに代えてまたはこれに加えてステップ５３０の間に実現可能であると言うことは注目される。
【００３０】
その後、ステップ５４０の間に、従前のステップで計算された遅れ時間が予め定義された許容時間内であるか否かを決定するために実行される。一般的には、予め定義された許容時間は、ネットワーク１００を介して平均遅延値を因数分解することにより決定され、再生されたイベントに応答する時間をユーザが有することを妨げるように志向している。ステップ５４０の間に、もしも遅延時間がしきい値を超えることが決定されたならば、その後、安全性の侵害がステップ５４５の間に検出される。ステップ５４０および５４５の間の安全性のの侵害の検出が安定した受信機４００により実行可能であり、図５に示されるように、サービスプロバイダ２００のためにフラッグが立てられ、またはサービスプロバイダ２００により検出されることが可能であることは注目される。
【００３１】
しかしながら、もしもステップ５４５の間に遅延時間がしきい値を超えたものと決定されたならば、その後イベント応答取り扱いプロセス５００はステップ５５０の間に暗号化処理され、かつ、ステップ５２０の間に計算された差分時間を含む応答パケット、回答、およびイベント識別子を送信機２００に送信する。イベント制御データ３００が正解を含む実施形態においては、ステップ５４０の間に実行される送信ステップは、正しい状態の回答に基づいて条件付きとなることもできるし、または他の適切なメッセージがサービスプロバイダ２００へと送られることもできる。ステップ５５０の間に送信されるメッセージがサービスプロバイダ２００により受信されたメッセージを分散させるために時間遅延されることもできるし、より低いネットワークトラフィックへと、ときどき送られることもできる。
【００３２】
返事のメッセージの受信に基づいて、サービスプロバイダ２００はメッセージを解読して、受信差分時間および回答を記録された情報と比較するが、この記録された情報は当選者を同定したり、さもなければユーザにとって応答させるための時間が正当であると確認したりするための識別されたイベントのためのものである。
【００３３】
この明細書に説明されている実施形態や変形例はこの発明の原理を単に説明するためだけのものであり、この発明の範囲や精神を逸脱することなく、種々の変形がこの技術分野の熟練者達により実行されても良いことは、理解されるべきである。
【図面の簡単な説明】
【図１】  この発明が動作可能なネットワーク環境を示すブロック図である。
【図２】  この発明に係るサービスプロバイダにより関連付けられる例示的な送信機を概略的に示すブロック図である。
【図３】  この発明の実例的なテレビコンテスト実現のための動画像専門家グループ（ＭＰＥＧ）データストリーム（符号列）を示すデータ構成図である。
【図４】  この発明による、例示的なエンドユーザ装置を示す概略ブロック図である。
【図５】  図４に示されたエンドユーザ装置により実行されるこの発明の原理を実現するプロセスを扱う例示的なイベント応答を説明するフローチャートである。
【符号の説明】
２００  送信機
４００  エンドユーザ装置
４２０  データ格納装置
４７０  クロックモジュール
【図１】
0004864265.tif 000002
【図２】
0004864265.tif 000003
【図３】
0004864265.tif 000004
【図４】
0004864265.tif 000005
【図５】
0004864265.tif 000006